(57)【要約】【課題】キャリアアグリゲーションにおけるサウンディングメカニズムおよび設定を提供する。【解決手段】  マルチキャリア無線通信システムの上層のメッセージによって、複数のセットのＵＥ特定サウンディング参照信号（ＳＲＳ）パラメータをユーザー端末に伝送するステップ、選択されたセットのＵＥ特定ＳＲＳパラメータおよび前記ＵＥ用に指示されたキャリアを確定するステップ、およびプライマリキャリア上で、前記ＵＥが前記選択されたセットのＵＥ特定ＳＲＳパラメータを用いて、前記指示されたキャリア上で非周期的ＳＲＳ（ａｐ−ＳＲＳ）を送信する情報を含むグラントを前記ＵＥに伝送するステップを含む方法。【選択図】図３
2013541922.tif 000002
【特許請求の範囲】
【請求項１】
マルチキャリア無線通信システムの上層のメッセージによって、複数のセットのＵＥ特定サウンディング参照信号（ＳＲＳ）パラメータをユーザー端末（以下、ＵＥと称す）に伝送するステップ、
選択されたセットのＵＥ特定ＳＲＳパラメータおよび前記ＵＥ用に指示されたキャリアを確定するステップ、および
プライマリキャリア上で、前記ＵＥが前記選択されたセットの前記ＵＥ特定ＳＲＳパラメータを用いて、前記指示されたキャリア上で非周期的ＳＲＳ（以下、ａｐ−ＳＲＳと称す）を送信する情報を含むグラントを前記ＵＥに伝送するステップを含む方法。
【請求項２】
各セットの前記ＵＥ特定ＳＲＳパラメータは、ＳＲＳ帯域幅、周波数ドメイン位置、送信コーム、循環シフト、およびアンテナポート数を含む
請求項１に記載の方法。
【請求項３】
前記複数のセットのＵＥ特定ＳＲＳパラメータは、無線リソース制御（ＲＲＣ）メッセージ（以下、ＲＲＣメッセージと称す）によって共同して発信される
請求項１に記載の方法。
【請求項４】
前記複数のセットのＵＥ特定ＳＲＳパラメータは、前記ＲＲＣメッセージの物理パラメータの一部として設定され、
前記ＲＲＣメッセージは、複数のセカンダリセル用に前記ａｐ−ＳＲＳを設定する
請求項３に記載の方法。
【請求項５】
各セットのＵＥ特定ＳＲＳパラメータは、個別の無線リソース制御（ＲＲＣ）メッセージによって単独に発信される請求項１に記載の方法。
【請求項６】
前記グラントは、複数のダウンリンク制御情報（ＤＣＩ）フォーマット（以下、ＤＣＩフォーマットと称す）をサポートする物理ダウンリンク制御チャンネル（ＰＤＣＣＨ）に伝送され、
前記各ＤＣＩフォーマットは、上層メッセージによって設定された１セット以上の所定の前記ＵＥ特定ＳＲＳパラメータに対応する
請求項１に記載の方法。
【請求項７】
前記ＳＲＳパラメータは、ダイレクトシグナリングまたはデルタシグナリングによって伝送される請求項１に記載の方法。
【請求項８】
ユーザー端末（以下、ＵＥと称す）用の複数のセットのＵＥ特定サウンディング参照信号（ＳＲＳ）パラメータを確定する非周期的ＳＲＳ（以下、ａｐ−ＳＲＳと称す）設定モジュール、および
プライマリキャリア上で上層メッセージによって複数のセットのＵＥ特定ＳＲＳパラメータを送信する送信器を備え、
前記送信器は、前記プライマリキャリア上で前記ＵＥにグラントを送信し、
前記グラントは、ＵＥが選択されたセットの前記ＵＥ特定ＳＲＳパラメータを用いて、指示されたキャリア上で前記ａｐ−ＳＲＳを送信するトリガー情報を含む
基地局。
【請求項９】
各セットの前記ＵＥ特定ＳＲＳパラメータは、ＳＲＳ帯域幅、周波数ドメイン位置、送信コーム、循環シフト、およびアンテナポート数を含む
請求項８に記載の基地局。
【請求項１０】
前記複数のセットのＵＥ特定ＳＲＳパラメータ（以下、ＲＲＣメッセージと称す）は、無線リソース制御（ＲＲＣ）メッセージによって共同して発信される
請求項８に記載の基地局。
【請求項１１】
前記複数のセットのＵＥ特定ＳＲＳパラメータは、前記ＲＲＣメッセージの物理パラメータの一部として設定され、
前記ＲＲＣメッセージは、複数のセカンダリセル用に前記ａｐ−ＳＲＳを設定する
請求項１０に記載の基地局。
【請求項１２】
各セットのＵＥ特定ＳＲＳパラメータは、個別の無線リソース制御（ＲＲＣ）メッセージによって単独に発信される
請求項８に記載の基地局。
【請求項１３】
前記グラントは、複数のダウンリンク制御情報（ＤＣＩ）フォーマット（以下、ＤＣＩフォーマットと称す）をサポートする物理ダウンリンク制御チャンネル（ＰＤＣＣＨ）に伝送され、
前記各ＤＣＩフォーマットは、上層メッセージによって設定された１セット以上の所定の前記ＵＥ特定ＳＲＳパラメータに対応する
請求項８に記載の基地局。
【請求項１４】
前記ＳＲＳパラメータは、ダイレクトシグナリングまたはデルタシグナリングによって伝送される
請求項８に記載の基地局。
【請求項１５】
マルチキャリア無線通信システムの上層メッセージによって基地局から複数のセットのＵＥ特定サウンディング参照信号（ＳＲＳ）パラメータを、ユーザー端末（以下、ＵＥと称す）で受信するステップ、
プライマリキャリア上で、前記ＵＥが選択されたセットのＵＥ特定ＳＲＳパラメータを用いて、指示されたキャリア上で非周期的ＳＲＳ（以下、ａｐ−ＳＲＳと称す）を送信するトリガー情報を含むグラントを前記基地局から受信するステップ、および
前記選択されたセットのＵＥ特定ＳＲＳパラメータを用いて前記指示されたキャリア上でａｐ−ＳＲＳを伝送するステップを含む方法。
【請求項１６】
各セットの前記ＵＥ特定ＳＲＳパラメータは、ＳＲＳ帯域幅、周波数ドメイン位置、送信コーム、循環シフト、およびアンテナポート数を含む
請求項１５に記載の方法。
【請求項１７】
前記複数のセットのＵＥ特定ＳＲＳパラメータは、無線リソース制御（ＲＲＣ）メッセージ（以下、ＲＲＣメッセージと称す）によって共同して発信される
請求項１５に記載の方法。
【請求項１８】
前記複数のセットのＵＥ特定ＳＲＳパラメータは、前記ＲＲＣメッセージの物理パラメータの一部として設定され、
前記ＲＲＣメッセージは、複数のセカンダリセル用に前記ａｐ−ＳＲＳを設定する
請求項１７に記載の方法。
【請求項１９】
各セットのＵＥ特定ＳＲＳパラメータは、個別の無線リソース制御（ＲＲＣ）メッセージによって単独に発信される
請求項１５に記載の方法。
【請求項２０】
前記グラントは、複数のダウンリンク制御情報（ＤＣＩ）フォーマット（以下、ＤＣＩフォーマットと称す）をサポートする物理ダウンリンク制御チャンネル（ＰＤＣＣＨ）に伝送され、
前記各ＤＣＩフォーマットは、上層メッセージによって設定された１セット以上の所定の前記ＵＥ特定ＳＲＳパラメータに対応する
請求項１５に記載の方法。
【発明の詳細な説明】
【技術分野】
【０００１】
本出願は、３５Ｕ.Ｓ.Ｃ.§１１９の下、２０１０年１１月３日に出願された米国特許仮出願番号第６１／４０９７３３号「Method  of  Cell  Configuration  and  Management,」からの優先権を主張するものであり、これらの全ては引用によって本願に援用される。
【０００２】
本発明は、無線ネットワーク通信に関し、特に、キャリアアグリゲーションにおけるＬＴＥ‐Ａシステムのサウンディングチャネルシグナリング（ｓｏｕｎｄｉｎｇ  ｃｈａｎｎｅｌ  ｓｉｇｎａｌｉｎｇ）に関するものである。
【背景技術】
【０００３】
直交周波数分割多元接続（ＯＦＤＭＡ）は、直交周波数分割多重（ＯＦＤＭ）のデジタル変調技術のマルチユーザーバージョンである。しかしながらＯＦＤＭＡシステムにおいて、マルチパスは、２つ以上のパスによって受信アンテナに到達する無線信号をもたらす、望ましくない伝播現象である。マルチパスによる振幅または位相の信号変化はチャネル応答とも呼ばれる。送信機が送信機と受信機との間のチャネル応答に用いる送信技術は、閉ループ伝送技術と呼ばれる。多入力多出力（ＭＩＭＯ）アプリケーションでは、閉ループ伝送技術は、開ループＭＩＭＯ技術と比べ、ロバスト性が高い。
【０００４】
送信機にチャネル情報を提供する１つの方法は、アップリンク（ＵＬ）サウンディングチャネルの使用に係わる。チャネルサウンディングは、移動局（ユーザー端末（ＵＥ）とも称す）がサウンディング参照信号（ＳＲＳ：ｓｏｕｎｄｉｎｇ  ｒｅｆｅｒｅｎｃｅ  ｓｉｇｎａｌｓ）をアップリンクチャネルに伝送し、基地局（ｅＮｏｄｅＢとも称す）がＵＬチャネル応答を推定できるようにするサウンディングメカニズムである。チャネルサウンディングは、時分割複信（ＴＤＤ）システムにおいて通常、実際に存在する、アップリンクとダウンリンクチャネルの相互性（ｒｅｃｉｐｒｏｃｉｔｙ）を仮定（ａｓｓｕｍｅ）する。ＵＬ伝送の周波数帯域幅は、ＴＤＤシステムのＤＬ伝送の周波数帯域幅を含むため、ＵＬチャネルサウンディングは、ダウンリンク伝送中の閉ループＳＵ／ＭＵ−ＭＩＭＯを有効にすることができる。例えば、ｅＮｏｄｅＢは、ＳＲＳによって測定されたチャネル状態情報（ＣＳＩ）に基づいて、非コードブックベースのダウンリンクビームフォーミングを実行することができる。ＵＬチャネルサウンディングは、ＴＤＤおよび周波数分割複信（ＦＤＤ）システムの両方のアップリンクの閉ループＭＩＭＯも有効にすることができる。例えば、ｅＮｏｄｅＢは、ＳＲＳによって測定されたＣＳＩに基づいて、ＵＥに用いられる最適なプリコーディングウェイト（ベクトル／行列）（例えばコードブックから最適なＰＭＩを選ぶ）を選ぶことによって、コードブックベースのアップリンクビームフォーミングを実行することができ、ＵＥがＵＬ伝送中に閉ループＳＵ／ＭＵ−ＭＩＭＯを実行することができるようになる。ＴＤＤシステムでは、ＵＬチャネルサウンディングは、周波数選択スケジューリングに用いられることもでき、ｅＮｏｄｅＢは、ＵＥをアップリンクとダウンリンク伝送の両方でその最適な周波数帯域に組み込むことができる。
【０００５】
３ＧＰＰ ＬＴＥ−Ａｄｖａｎｃｅｄ（ＬＴＥ−Ａ）無線通信システムでは、２つのタイプのＳＲＳが定義される。第１のタイプの周期的ＳＲＳ（ｐ−ＳＲＳ）は、長期的チャネル情報を得るために用いられる。ｐ−ＳＲＳの周期は、一般な長さ（３２０ｍｓに達する）であり、オーバーヘッドを減少する。ｐ−ＳＲＳのパラメータは、上層の無線リソース制御（ＲＲＣ）によって設定されるため、設定時間が長く（例えば１５−２０ｍｓ）、且つシグナリング柔軟性（ｓｉｇｎａｌｉｎｇ  ｆｌｅｘｉｂｉｌｉｔｙ）が低い。第１０版（Ｒｅｌｅａｓｅ１０）でサポートされたアップリンクＭＩＭＯでは、特にＵＥの数が多くなった時、ｐ−ＳＲＳリソースは、閉ループ空間多重化に大きな需要がある。第２のタイプの非周期的ＳＲＳ（ａｐ−ＳＲＳ）は、第１０版に導入された新しい特性である。Ａｐ−ＳＲＳは、物理ダウンリンク制御チャンネル（ＰＤＣＣＨ）を介してダウンリンクまたはアップリンクグラントのいずれかによってトリガーされる。一旦トリガーされると、ＵＥは、ワンタイム（ｏｎｅ−ｔｉｍｅ）伝送用に、所定の位置でサウンディング順序（ｓｅｑｕｅｎｃｅ）を伝送する。Ａｐ−ＳＲＳは、アップリンクＭＩＭＯのマルチアンテナサウンディングをサポートする。Ａｐ−ＳＲＳは、ｐ−ＳＲＳより遥かにフレキシブルである。Ａｐ−ＳＲＳは、ａｐ−ＳＲＳとｐ−ＳＲＳとの間の多重化でｐ−ＳＲＳによって用いられていない残りのリソースを用いることができる。
【０００６】
キャリアアグリゲーション（ＣＡ）は、３ＧＰＰ  ＬＴＥ−Ａシステムの全体の４Ｇエンハンスメントの一部として導入される。キャリアアグリゲーションを有するＬＴＥ−Ａシステムは、ダウンリンク（ＤＬ）の１Ｇｂｐｓおよびアップリンク（ＵＬ）の５００Ｍｂｐｓを超えるピークターゲットデータレート（ｐｅａｋ  ｔａｒｇｅｔ  ｄａｔａ  ｒａｔｅ）をサポートすることができる。このような技術は、オペレーターにいくつかの小さい、連続的なまたは不連続的なコンポーネントキャリア（ＣＣ）を集約させ、より大きな集約されたシステムの帯域幅を提供し、レガシー（ｌｅｇａｃｙ）ユーザーにコンポーネントキャリアの１つを用いてシステムにアクセスさせることで、下位互換性を提供するため、魅力的である。キャリアアグリゲーションにおいて、各ＵＥは、１つのプライマリキャリア（即ちＰｃｅｌｌ）および複数のセカンダリキャリア（即ちＳｃｅｌｌ）を有する。クロスキャリアスケジューリングのシナリオでは、ＰＤＣＣＨは、Ｐｃｅｌｌのみによって受けられる。しかしながら、チャネルサウンディングは、ＰｃｅｌｌおよびＳｃｅｌｌの両方で設定される。どのようにＰＤＣＣＨをＰｃｅｌｌに用いてＳｃｅｌｌのａｐ−ＳＲＳをトリガーするかがキャリアアグリゲーションにおけるＬＴＥ−Ａサウンディングに直面する問題である。
【発明の概要】
【発明が解決しようとする課題】
【０００７】
キャリアアグリゲーションにおけるサウンディングメカニズムおよび設定を提供する。
【課題を解決するための手段】
【０００８】
キャリアアグリゲーションにおけるＬＴＥ−Ａシステムのサウンディングメカニズムが提供される。ユーザー端末（ＵＥ）は、マルチキャリアＬＴＥ−Ａシステムのプライマリキャリア上で基地局（ｅＮＢ）から送信されたアップリンクまたはダウンリンクグラントを受信する。ＵＥは、アップリンクまたはダウンリンクグラントで指示されたキャリアを確定し、非周期的サウンディング伝送のトリガー条件を検出する。アップリンクまたはダウンリンクグラントは、物理ダウンリンク制御チャンネル（ＰＤＣＣＨ）によって伝送される。次いでＵＥは、トリガー条件が満たされる場合、ＵＥ特定サウンディング参照信号（ＳＲＳ）パラメータを選択する。ＵＥ特定ＳＲＳパラメータは、上層の無線リソース制御（ＲＲＣ：ｒａｄｉｏ  ｒｅｓｏｕｒｃｅ  ｃｏｎｔｒｏｌ）シグナリングによって設定される。最後にＵＥは、選択されたＵＥ特定ＳＲＳパラメータを用いて指示されたキャリア上で非周期的ＳＲＳ（ａｐ−ＳＲＳ）を伝送する。
【０００９】
本実施形態では、アップリンクグラントは、ＤＣＩフォーマット０または４を支援するＰＤＣＣＨによって伝送され、ダウンリンクグラントは、ＤＣＩフォーマット１Ａ、２Ｂ、または２Ｃを支援するＰＤＣＣＨによって伝送される。各ＤＣＩフォーマットは、クロスキャリアスケジューリングが有効にされた場合、キャリア指示フィールド（ＣＩＦ：ｃａｒｒｉｅｒ  ｉｎｄｉｃａｔｏｒ  ｆｉｅｌｄ）を含む。ＣＩＦは、ＰＵＳＣＨ送信またはＰＤＳＣＨ受信のスケジューリングに用いられる。本実施態様では、ａｐ−ＳＲＳは、ＣＩＦによって示されたキャリアに伝送され、クロスキャリアスケジューリングを実現する。
【００１０】
他の実施形態では、ＤＣＩフォーマット３／３Ａは、ＰＤＣＣＨによってグループのＵＥに伝送される。ＤＣＩフォーマット３／３Ａは、複数の情報フィールドを含み、各フィールドもＵＥが特定キャリアでａｐ−ＳＲＳを有効にするべきかどうかを示すために用いられることができる。各情報フィールドの位置は、ＵＥの指示されたキャリアに対応し、各情報フィールドの値は、トリガー条件に対応する。一旦トリガーされると、ＵＥは、ａｐ−ＳＲＳを指示された１つ以上のキャリア上に伝送する。複数のキャリアは、同じＰＤＣＣＨに示されることができる。
【００１１】
本実施態様では、ａｐ−ＳＲＳ設定用の複数セットのＲＲＣシグナリングがａｐ−ＳＲＳの柔軟性を向上するのに提供される。ｅＮＢは、マルチキャリア無線通信システムの上層のメッセージによって、複数のセットのＵＥ特定ＳＲＳパラメータをＵＥに伝送する。ｅＮＢは、選択されたＵＥ特定ａｐ−ＳＲＳパラメータのトリガー情報およびＵＥ用に指示されたキャリアも確定する。次いで、ｅＮＢは、プライマリキャリア上でアップリンクまたはダウンリンクグラントを伝送し、前記グラントは、ＵＥが選択されたセットのＵＥ特定ＳＲＳパラメータを用いて、指示されたキャリア上でａｐ−ＳＲＳを送信するトリガー情報を含む。共同シグナリングの実施形態では、複数のセットのＵＥ特定ＳＲＳパラメータは、単一のＲＲＣ伝送で共同して発信される。他の実施形態の個別シグナリングでは、各セットのＵＥ特定ＳＲＳパラメータは、単独に発信される。共同シグナリングは、大量のシグナリングオーバーヘッドのコストにおいて簡易であり、個別シグナリングは、より柔軟性があるが、どのセットが再設定されるかを示す必要がある。
【図面の簡単な説明】
【００１２】
【図１】本実施態様に基づいたマルチキャリア無線通信システムのアップリンクチャネルサウンディングを表している。
【図２】本実施態様に基づいたアップリンクチャネルサウンディングを有するマルチキャリアＬＴＥ‐Ａ無線通信システムを表している。
【図３】本実施態様に基づいたアップリンクａｐ−ＳＲＳ伝送の第１方法のフローチャートである。
【図４】アップリンクａｐ−ＳＲＳトリガーメカニズムの第１の方法の実施形態を表している。
【図５】アップリンクａｐ−ＳＲＳ伝送の第１の方法の詳細な例を表している。
【図６】本実施態様に基づいたアップリンクａｐ−ＳＲＳ伝送の第２の方法のフローチャートである。
【図７】アップリンクａｐ−ＳＲＳトリガーメカニズムの第２の方法の実施形態を表している。
【図８】本実施態様に基づいたａｐ−ＳＲＳの複数セット（ｍｕｌｔｉ−ｓｅｔ）のＲＲＣシグナリングの実施形態を表している。
【図９】ａｐ−ＳＲＳ設定の複数セットのＲＲＣシグナリングの方法のフローチャートである。
【図１０】ａｐ−ＳＲＳ設定の複数セットのＲＲＣシグナリングの方法のフローチャートである。
【発明を実施するための形態】
【００１３】
図１は、本実施態様に基づいたマルチキャリア３ＧＰＰ ＬＴＥ−Ａ無線通信システム１０のアップリンクチャネルサウンディングを表している。ＬＴＥ無線通信システムでは、基地局（ｅＮＢ、例えばｅＮＢ１１とも称す）と移動局（ユーザー端末（ＵＥ）、例えばＵＥ１２とも称す）は、一連のフレームで運ばれたデータを送受信することで互いに通信する。各フレームは、データをＵＥに伝送するために、ｅＮＢのための複数のダウンリンク（ＤＬ）サブフレームと、データをｅＮＢに伝送するための、ＵＥのための複数のアップリンク（ＵＬ）サブフレームとを含む。アップリンクチャネルサウンディングは、シグナリングメカニズムであり、ＤＬ／ＵＬビームフォーミングおよび周波数選択スケジューリングなどの各種の閉ループ伝送技術を促進する。アップリンクチャネルサウンディングでは、ｅＮＢは、サウンディング参照信号（ＳＲＳ）パラメータを設定し、先のＤＬサブフレーム（例えばサブフレームＤＬ１３）にＳＲＳリソースを割り当て、且つＵＥは、次のＵＬサブフレーム（例えばＤＬ１４）にサウンディング信号を送信し、ｅＮＢにＵＬチャネル応答を推定させる。
【００１４】
３ＧＰＰ ＬＴＥ−Ａシステムでは、２つのタイプのＳＲＳがアップリンクチャネルサウンディングに定義される。第１のタイプの周期的ＳＲＳ（ｐ−ＳＲＳ）は、長期的チャネル応答情報を得るために用いられる。ｐ−ＳＲＳの周期は、一般な長さ（３２０ｍｓに達する）である。ｐ−ＳＲＳのパラメータは、上層の無線リソース制御（ＲＲＣ：ｒａｄｉｏ  ｒｅｓｏｕｒｃｅ  ｃｏｎｔｒｏｌ）によって設定およびトリガーされるため、設定時間が長く（例えば１５−２０ｍｓ遅延）、且つシグナリング柔軟性（ｓｉｇｎａｌｉｎｇ ｆｌｅｘｉｂｉｌｉｔｙ）が低い。第２のタイプの非周期的ＳＲＳ（ａｐ−ＳＲＳ）もＲＲＣによって設定される。しかしながら、Ａｐ−ＳＲＳは、ｅＮＢからのアップリンクまたはダウンリンクグラントによって動的にトリガーされる。一旦トリガーされると、ＵＥは、所定の位置でサウンディング信号をｅＮＢに伝送する。Ａｐ−ＳＲＳは、アップリンクＭＩＭＯのマルチアンテナサウンディングをサポートする第１０版で導入される新しい特性である。Ａｐ−ＳＲＳは、ｐ−ＳＲＳより遥かにフレキシブルであり、ａｐ−ＳＲＳとｐ−ＳＲＳとの間の多重化でｐ−ＳＲＳによって用いられていない残りのリソースを用いることができる。
【００１５】
従来、ｐ−ＳＲＳのパラメータは、ＲＲＣによって設定される。しかしながら、動的にトリガーし、ａｐ−ＳＲＳのパラメータを設定するには、より高い層のＲＲＣの使用は、その長期の潜在（ｌｏｎｇ ｌａｔｅｎｃｙ）により、もはや効果的ではない。よって、ａｐ−ＳＲＳをトリガーし、ｐ−ＳＲＳのパラメータを設定する、より早い物理層のシグナリング方法が必要である。１つの例では、ａｐ−ＳＲＳは、適正な柔軟性を提供する物理ダウンリンク制御チャンネル（ＰＤＣＣＨ）によってトリガーされることができる。キャリアアグリゲーションを有するマルチキャリアＬＴＥ−Ａシステムでは、各ＵＥは、１つのプライマリキャリア（即ちＰｃｅｌｌ）および複数のセカンダリキャリア（即ちＳｃｅｌｌ）を有する。クロスキャリアスケジューリングのシナリオでは、ＰＤＣＣＨは、Ｐｃｅｌｌのみによって受けられる。しかしながら、アップリンクチャネルサウンディングは、ＰｃｅｌｌおよびＳｃｅｌｌの両方で設定されるものとする。
【００１６】
本実施態様では、クロスキャリアスケジューリングを有するａｐ−ＳＲＳを用いたアップリンクチャネルサウンディングの例が図１に表されている。先のダウンリンクサブフレームＤＬ１３において、基地局ｅＮＢ１１は、プライマリキャリア（例えばＰＣＥＬＬ）上でアップリンクグラントのａｐ−ＳＲＳトリガー情報を伝送する。ａｐ−ＳＲＳトリガー情報において、ＵＥ１２は、アップリンクグラント内のトリガー条件およびキャリア指示情報を検出する。トリガー条件を満たす場合、ＵＥは、ＰＤＣＣＨによって指示された最新のＲＲＣ設定のＵＥ特定ａｐ−ＳＲＳパラメータを選択する。最後に選択されたＵＥ特定ａｐ−ＳＲＳパラメータに応じて、ＵＥ１２は、後のアップリンクサブフレームＵＬ１４において指示されたキャリア（例えばＳＣＥＬＬ）上でａｐ−ＳＲＳを伝送する。
【００１７】
図２は、本実施態様に基づいたアップリンクチャネルサウンディングを有するマルチキャリア３ＧＰＰ ＬＴＥ‐Ａ無線通信システム２０を表している。ＬＴＥ‐Ａシステム２０は、ユーザー端末ＵＥ２１および基地局ｅＮＢ２２を含む。ＵＥ２１は、メモリ３１、プロセッサ３２、情報復号化（ｉｎｆｏｒｍａｔｉｏｎ−ｄｅｃｏｄｉｎｇ）モジュール３３、ＳＲＳおよびサウンディングチャネル割り当てモジュール３４、およびアンテナ３６に接続されたトランシーバ３５を含む。同様に、ｅＮＢ２２は、メモリ４１、プロセッサ４２、情報符号化（ｉｎｆｏｒｍａｔｉｏｎ−ｅｎｃｏｄｉｎｇ）モジュール４３、チャネル推定モジュール４４およびアンテナ４６に接続されたトランシーバ４５を含む。
【００１８】
マルチキャリアアップリンクチャネルサウンディングでは、ＤＬサブフレームにおいて、ｅＮＢ２２は、プライマリキャリア（例えばＰＣＥＬＬ）上でＳＲＳパラメータを設定し、符号化されたシグナリング情報をＵＥ２１に伝送することによってＳＲＳリソースを割り当てる。ＵＬサブフレームにおいて、ＵＥ２１は、シグナリング情報に基づいて、アップリンクチャネル推定用に、ＳＲＳパラメータを複合し、指示されたセカンダリキャリア（例えばＳＣＥＬＬ）上で割り当てられたサウンディングチャネルによって、サウンディング信号をｅＮＢ２２に伝送し返す。本実施形態の一例として、アップリンクサウンディング手順で説明された機能は、異なるモジュールによって、ハードウェア、ソフトウェア、ファームウェア、またはその組み合わせによって実現されることができる。上述の機能は、同一のモジュールで共同して実現されるか、または個別のモジュールで単独に実現される。例えば、ｅＮＢ側では、情報符号化モジュール４３は、キャリア指示情報およびａｐ−ＳＲＳトリガー情報を有するアップリンクグラントを準備し、送信機４５は、ＰＣＥＬＬ上でＵＥ２１にアップリンクグラントを送信する。ＵＥ側では、情報復号化（ｉｎｆｏｒｍａｔｉｏｎ−ｄｅｃｏｄｉｎｇ）モジュール３３は、キャリア指示情報およびａｐ−ＳＲＳトリガー情報を検出し、ＳＲＳおよびサウンディングチャネル割り当てモジュール３４は、割り当てられたサウンディングチャネルのａｐ−ＳＲＳをマップし、且つ送信機３５は、支持されたキャリア（例えばＳＣＥＬＬ）上でａｐ−ＳＲＳをＵＥ２２に返信し返す。最後にｅＮＢ側では、送信機４５は、ａｐ−ＳＲＳを受信し、チャネル推定モジュール４４は、受信したａｐ−ＳＲＳに基づいてアップリンクチャネル応答を推定する。
【００１９】
図３は、本実施態様に基づいたマルチキャリアＬＴＥ−Ａシステムのアップリンクａｐ−ＳＲＳ伝送の第１方法のフローチャートである。マルチキャリアＬＴＥ−Ａシステムは、ｅＮＢおよびＵＥを含む。ｅＮＢおよびＵＥは、プライマリＲＦキャリア（例えばＰＣＣ上のＰＣＥＬＬ）および１つ以上のセカンダリＲＦキャリア（例えばＳＣＣ上のＳＣＥＬＬ）を含む複数の無線周波数キャリアによって接続される。ステップＳ１０１では、ＵＥは、ＳＣＥＬＬ上でｅＮＢから伝送されたアップリンクまたはダウンリンクを受信する。ステップＳ１０２では、ＵＥは、グラントのキャリア指示フィールド（ｃａｒｒｉｅｒ ｉｎｄｉｃａｔｏｒ ｆｉｅｌｄ； ＣＩＦ）から指示されたキャリア（例えばＳＣＥＬＬの中の１つ）を確定し、グラントでａｐ−ＳＲＳ伝送のトリガー条件を検出する。トリガー条件を満たす場合、ＵＥは、ＣＩＦの値に基づいて、最新のＵＥ特定ＲＲＣメッセージを選択する（ステップＳ１０３）。最後に、ＵＥは、選択されたＵＥ特定ＳＲＳパラメータを用いて、指示されたキャリア上にａｐ−ＳＲＳを伝送する（ステップＳ１０４）。アップリンクａｐ−ＳＲＳトリガーメカニズムの第１の方法は、“ＵＥ特定トリガー”とも呼ばれる。
【００２０】
図４は、マルチキャリアＬＴＥ−Ａシステム４０のアップリンクａｐ−ＳＲＳトリガーメカニズムの第１の“ＵＥ特定トリガー”方法の実施形態を表している。マルチキャリアＬＴＥ−Ａシステム４０は、ｅＮＢおよびＵＥを含む。ｅＮＢおよびＵＥは、プライマリキャリア（例えばＰＣＥＬＬ）および２つのセカンダリキャリア（例えばＳＣＥＬＬ＃０およびＳＣＥＬＬ＃１）を含む複数の無線周波数キャリアによって接続される。ｅＮＢは、ＰＤＣＣＨによってアップリンクまたはダウンリンクグラントを伝送する。ＰＤＣＣＨは、各種のダウンリンク制御情報（ＤＣＩ）フォーマットをサポートする。各ＤＣＩフォーマットでは、“キャリア指示フィールド”（ＣＩＦ）と呼ばれる情報フィールドがある。通常、“キャリア指示フィールド”は、どのキャリアがこのアップリンクグラントを用いて物理アップリンク共有チャネル（ＰＵＳＣＨ：ｐｙｈｓｉｃａｌ  ｕｐｌｉｎｋ  ｓｈａｒｅｄ  ｃｈａｎｎｅｌ）データ伝送または物理ダウンリンク共有チャネル（ＰＤＳＣＨ：ｐｙｈｓｉｃａｌ  ｄｏｗｎｌｉｎｋ  ｓｈａｒｅｄ  ｃｈａｎｎｅｌ）データ伝送を行うべきかを示す。本実施態様では、ａｐ−ＳＲＳは、ＣＩＦによって指示されたキャリアである、ＰＵＳＣＨに用いられるキャリア上に伝送される。図４の例では、アップリンクグラントのＣＩＦの値は、キャリアＳＣＥＬＬ＃１（例えばＣＩＦ＝“＃１”）を示す。よって、ＰＵＳＣＨ伝送は、アップリンクグラントに基づいてＳＣＥＬＬ＃１上でスケジュールされる（図４の影付きの領域で表されている）。また、ａｐ−ＳＲＳ伝送も、同じアップリンクグラントに基づいて同一のキャリアＳＣＥＬＬ＃１上でトリガーされる（斜線領域で表されている）。
【００２１】
図５は、マルチキャリアＬＴＥ−Ａシステム５０のアップリンクａｐ−ＳＲＳ伝送の第１の“ＵＥ特定トリガー”方法の詳細例を表している。マルチキャリアＬＴＥ−Ａシステムは、プライマリＲＦキャリアＰＣＥＬＬおよびセカンダリＲＦキャリアＳＣＥＬＬ＃０によって互いに接続されたｅＮＢ５１およびＵＥ５２を含む。ａｐ−ＳＲＳ伝送をトリガーするために、ｅＮＢ５１は、ＰＤＣＣＨ５３によってアップリンクグラントを伝送する。図５の例では、ＰＤＣＣＨ５３は、ブロック５４で示されているようにダウンリンク制御情報（ＤＣＩ）フォーマット４をサポートする。ＤＣＩフォーマット４は、０または３ビット長である“キャリア指示”フィールド（ＣＩＦ）を含む。ＣＩＦは、フォーマット４では“＃０”であるため、セカンダリキャリアＳＣＥＬＬ＃０を示す。アップリンクグラントを受けると、ＵＥ５２は、それに応じてＳＣＥＬＬ＃０でＰＵＳＣＨ伝送を行う。また、ＵＥ５２は、アップリンクグラントにおけるどんなトリガー条件も検出するため、ＳＣＥＬＬ＃０上でａｐ−ＳＲＳ伝送をトリガーするかどうかを決める。トリガー条件を満たす場合、ＵＥ５２は、ＣＩＦの値に基づいてＲＲＣメッセージによって最新のＵＥ特定を選択し、選択されたＵＥ特定パラメータでＳＣＥＬＬ＃０上でａｐ−ＳＲＳを伝送する。
【００２２】
３ＧＰＰ ＬＴＥ−Ａシステムでは、ｐ−ＳＲＳまたはａｐ−ＳＲＳパラメータを設定するために、２つのタイプのＳＲＳパラメータが各コンポーネントキャリア用に、３ＧＰＰ  ＬＴＥ−Ａシステムに定義される。第１のタイプのセル特定パラメータ（ｃｅｌｌ−ｓｐｅｃｉｆｉｃ ｐａｒａｍｅｔｅｒ）は、ＳＲＳ帯域幅設定およびＳＲＳサブフレーム設定を含む。セル特定パラメータは、ｅＮＢによってサーブされたセルに割り当てられた全体のＳＲＳリソースを定義するために用いられる。第２のタイプのＵＥ特定パラメータ（例えば図５の表５９によって表されている）は、ＳＲＳ帯域幅割り当て、ＳＲＳホッピング帯域幅、周波数ドメイン位置、ＳＲＳ持続時間、アンテナポート数、送信コーム、および循環シフト（ＣＳ）を含む。ＵＥ特定パラメータは、各単独のＵＥ用にＳＲＳリソース割り当てを定義するために用いられる。ｐ−ＳＲＳおよびａｐ−ＳＲＳは、全体のＳＲＳリソースをシェアするため、ｐ−ＳＲＳ用のＵＥ特定パラメータは、再使用される。しかしながら、ａｐ−ＳＲＳ用のＵＥ特定パラメータは、ｐ−ＳＲＳと異なるため、ａｐ−ＳＲＳは、各ＵＥ用のａｐ−ＳＲＳとｐ−ＳＲＳとの間の多重化でｐ−ＳＲＳによって用いられていない残りのリソースを用いることができる。ｐ−ＳＲＳのセル特定ＳＲＳパラメータがａｐ−ＳＲＳ用に再使用されることができるため、ＵＥ特定パラメータのみがａｐ−ＳＲＳ伝送に選ばれる必要がある。
【００２３】
ＵＥ特定ＳＲＳパラメータが上層ＲＲＣシグナリングによって設定されるため、設定時間は長く、シグナリング柔軟性は低い。効果的なＳＲＳ設定を促進するために、各ＤＣＩフォーマットは、１つ以上の所定のセットのＵＥ特定ＳＲＳパラメータと対応する。図５の表５８によって表されるように、ＤＣＩフォーマット０およびフォーマット３／３Ａの各々は、１セットのＵＥ特定ＳＲＳパラメータと対応する。例えば、ＤＣＩフォーマット０がＰＤＣＣＨ５３によってアップリンクグラントに用いられる場合、ＳＲＳ帯域幅＝ＢＷ０、周波数ドメイン位置＝ｋ０、送信コーム＝ｃｏｍｂ０、循環シフト＝ｃｓ０、およびアンテナポート＝ｐ０を有する所定のＳＲＳパラメータセットが選ばれる。同様に、ＤＣＩフォーマット１ＡがＰＤＣＣＨ５３によってダウンリンクグラントに用いられる場合、ＳＲＳ帯域幅＝ＢＷ１、周波数ドメイン位置＝ｋ１、送信コーム＝ｃｏｍｂ１、循環シフト＝ｃｓ１、およびアンテナポート＝ｐ１を有する所定のＳＲＳパラメータセットが選ばれる。
【００２４】
一方、ＤＣＩフォーマット４は、３セットのＵＥ特定ＳＲＳパラメータと対応する。図５は、２つのシグナリングビットを有するＳＲＳリクエストのＤＣＩフォーマット４の例を表している。図５の例では、ｅＮＢ５１は、２つのシグナリングビットを用いて、ＰＤＣＣＨ５３によってＵＥ５２用にＵＥ特定ａｐ−ＳＲＳパラメータを設定する。２つのシグナリングビットは、４つの状態を示すことができる。この４つの状態は、３つのセットのパラメータの組み合わせ用の３つの状態とトリガーのないａｐ−ＳＲＳの１つの状態を含んでいる。３つの状態の各々は、ＳＲＳ帯域幅割り当て、周波数ドメイン位置、循環シフト、およびアンテナポートの所定のパラメータの組み合わせを含む。例えば、ＳＲＳリクエスト＝１０の場合、ＳＲＳ帯域幅＝ＢＷ４、周波数ドメイン位置＝ｋ４、送信コーム＝ｃｏｍｂ４、循環シフト＝ｃｓ４、およびアンテナポート＝ｐ４を有する所定のＳＲＳパラメータセットが選ばれる。次いで、ＵＥ５２は、このセットのＳＲＳパラメータを用いて、指示されたキャリアＳＣＥＬＬ＃０上で、サウンディングチャネル５６を割り当て、ａｐ−ＳＲＳ伝送用にＳＲＳ５７を生成する。ＵＥ特定パラメータの所定のセットの実際値は、必要な時にＲＣシグナリングによってアップデートまたは再設定されることができる。ＳＲＳリクエスト＝００の場合、ａｐ−ＳＲＳ伝送はトリガーされない。
【００２５】
図６は、本実施態様に基づいたマルチキャリアＬＴＥ−Ａシステム５０のアップリンクａｐ−ＳＲＳ伝送の第２の方法のフローチャートである。マルチキャリアＬＴＥ−Ａシステムは、ｅＮＢおよびＵＥを含む。ｅＮＢおよびＵＥは、プライマリＲＦキャリア（例えばＰＣＣ上のＰＣＥＬＬ）および１つ以上のセカンダリＲＦキャリア（例えばＳＣＣ上のＳＣＥＬＬ）を含んだ複数の無線周波数キャリアによって接続される。ステップＳ２０１では、ＵＥは、ＰＣＣ上のＳＣＥＬＬで、ｅＮＢから伝送されたＤＣＩフォーマット３／３Ａを受信する。ステップＳ２０２では、ＵＥは、ＤＣＩフォーマットの複数の情報フィールドのトリガー情報を確定する。各情報フィールドの位置は、ＵＥの指示されたキャリアに対応し、各情報フィールドの値は、トリガー条件に対応する。少なくとも１つのトリガー条件が満たれる場合、ＵＥは、最新の設定されたＵＥ特定ＳＲＳパラメータを選択する（ステップＳ２０３）。最後に、ＵＥは、選択されたＵＥ特定ＳＲＳパラメータを用いて、指示されたキャリア上にａｐ−ＳＲＳを伝送する（ステップ２０４）。ＵＥのグループは、同一のＤＣＩフォーマットによってアップリンクａｐ−ＳＲＳ伝送用にトリガーされることができ、アップリンクａｐ−ＳＲＳトリガーメカニズムの第２の方法は、“グループワイズ（ｇｒｏｕｐ−ｗｉｓｅ）トリガー”とも呼ばれる。
【００２６】
図７は、マルチキャリアＬＴＥ−Ａシステム７０のアップリンクａｐ−ＳＲＳ伝送メカニズムの第２の“グループワイズトリガー”方法の実施形態を表している。マルチキャリアＬＴＥ−Ａシステムは、ｅＮＢ７１、ＵＥ７２、およびＵＥ７３を含む。基地局ｅＮＢ７１およびＵＥ７２、ＵＥ７３は、４つのコンポーネントキャリアＣＣ０、ＣＣ１、ＣＣ２、およびＣＣ３をサポートする。ＣＣ０がプライマリコンポーネントキャリアとし、他の３つのキャリアはＳＣＣとする。ＤＬサブフレームでは、ｅＮＢ７１は、プライマリキャリアＣＣ０上でＰＤＣＣＨ７４をＵＥ７２およびＵＥ７３に送信する。ＰＤＣＣＨ７４は、ＤＣＩフォーマット３／３Ａを有する。ＤＣＩフォーマット３は、伝送電力制御（ＴＰＣ）命令を伝送するために用いられる。ＴＰＣ命令は、２ビット電力調整（ｐｏｗｅｒ ａｄｊｕｓｔｍｅｎｔｓ）を有し、且つ物理アップリンク制御チャネル（ＰＵＣＣＨ）およびＰＵＳＣＨに用いられる。同様に、ＤＣＩフォーマット３Ａは、伝送電力制御（ＴＰＣ）命令を伝送するために用いられる。ＴＰＣ命令は、１ビット電力調整を有し、且つＰＵＣＣＨおよびＰＵＳＣＨに用いられる。
【００２７】
本実施態様では、ＤＣＩフォーマット３／３Ａと同様の新しいＤＣＩフォーマットは、マルチキャリア上でアップリンクａｐ−ＳＲＳ伝送のグループトリガーを行うように用いられる。混乱を避けるために、新しいＤＣＩフォーマットは、ＤＣＩフォーマット３’として呼ばれる。ＤＣＩフォーマット３’は、Ｋ情報フィールドを含み、各フィールドは、Ｍビットを含む。追加のｘパディングビット（ｐａｄｄｉｎｇ  ｂｉｔ）が加えられて、フォーマット３’の全ビット数がＤＣＩフォーマット３／３Ａのビット数と同じ等しくなることができる。ＤＣＩフォーマット３’は、１つのＰＤＣＣＨを送信することによってＵＥのグループに伝送される。異なるＵＥグループは、無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）シーケンスによって識別することができる。各ＵＥグループ内では、各ＵＥは、Ｋ個の情報フィールドのうちＮ個のフィールドを割り当てることができる。各ＵＥでは、各フィールドは、ＵＥが特定キャリアでａｐ−ＳＲＳを有効にすべきかどうかを示す。
【００２８】
図７の例では、ブロック７５は、ＰＤＣＣＨ７４のＤＣＩフォーマット３’の１つの例を表している。この特定の例では、ＳＲＳリクエストは、全部で２０の情報フィールドを含み、各フィールドは１つのビットを含み、各ＵＥは、４つのフィールド（例えば、Ｋ＝２０、Ｍ＝１、およびＮ＝４）に割り当てられる。ＵＥ７２は、斜線で表された４つの情報フィールドに割り当てられ、ＵＥ７３は、影付きの表示で表された４つの情報フィールドに割り当てられる。各ＵＥ内では、各フィールドは、ＵＥが特定キャリアでａｐ−ＳＲＳを有効にすべきかどうかを示す。言い換えれば、各フィールドの位置は、特定のキャリアに対応し、各フィールドの値は、ｐ−ＳＲＳがトリガーされるかどうかに対応する。ＵＥ７２では、フィールド２、７、１７、および２０が、それぞれＣＣ０、ＣＣ１、ＣＣ２、およびＣＣ３に対応する。また、これらのフィールドの各々の値が、０、１、０、および１と等しいため、ａｐ−ＳＲＳは、ＣＣ１およびＣＣ３用にトリガーされ、ＣＣ０およびＣＣ２用にトリガーされないことを示している。同様に、ＵＥ７３では、フィールド５、９、１２、および１４が、それぞれＣＣ０、ＣＣ１、ＣＣ２、およびＣＣ３に対応する。また、これらのフィールドの各々の値が、１、０、０、および１と等しいため、ａｐ−ＳＲＳは、ＣＣ０およびＣＣ３用にトリガーされ、ＣＣ１およびＣＣ２用にトリガーされないことを示している。
【００２９】
一旦、ＵＥがａｐ−ＳＲＳが１つ以上のキャリアにトリガーされたことを確定すると、ＵＥは、ＳＲＳパラメータを選び、ａｐ−ＳＲＳ信号を指示されたキャリア上に伝送する。例えば、ＵＥ７２は、選択されたＳＲＳパラメータで、ａｐ−ＳＲＳ信号をＣＣ１およびＣＣ２上に伝送し、ＵＥ７３は、ａｐ−ＳＲＳ信号をＣＣ０およびＣＣ３上に伝送する。グループのトリガーでは、各キャリアのセル特定およびＵＥ特定ａｐ−ＳＲＳパラメータもＲＲＣで設定される。図５を再度参照すると、ＤＣＩフォーマット３／３Ａでは、ＳＲＳ帯域幅＝ＢＷ２、周波数ドメイン位置＝ｋ２、送信コーム＝ｃｏｍｂ２、循環シフト＝ｃｓ２、およびアンテナポート＝ｐ２を有する所定のＳＲＳパラメータセットが選ばれる。
【００３０】
ＳＲＳパラメータの設定の他に、ｅＮＢは、ＲＲＣシグナリングを用いて、各ＵＥに対して次のパラメータを設定し、グループトリガーに用いる：グループトリガー用にモニターされるべきＲＮＴＩシーケンス、グループのＳＲＳトリガー信号のインデックス（例えば各ＵＥに属する情報フィールドの数と位置）、および各ＵＥ用の対応キャリアインデックス。
【００３１】
３ＧＰＰ ＬＴＥ−Ａシステムでは、セル特定ＳＲＳパラメータおよびＵＥ特定ＳＲＳパラメータの両方は、ｐ−ＳＲＳおよびａｐ−ＳＲＳ用に設定される必要がある。ｐ−ＳＲＳおよびａｐ−ＳＲＳは、全体のＳＲＳリソースをシェアするため、ｐ−ＳＲＳ用のセル特定パラメータは、ａｐ−ＳＲＳ用に再使用される。しかしながら、ａｐ−ＳＲＳ用のＵＥ特定パラメータは、ｐ−ＳＲＳと異なるため、ａｐ−ＳＲＳは、各ＵＥ用のａｐ−ＳＲＳとｐ−ＳＲＳとの間の多重化でｐ−ＳＲＳによって用いられていない残りのリソースを用いることができる。通常、ｐ−ＳＲＳ用に１セットのＵＥ特定ＳＲＳパラメータのみがあるため、それらが変更される必要がある時、パラメータはＲＲＣシグナリングによって設定される。しかしながら、同じシグナリング方法がａｐ−ＳＲＳ用に再利用された場合、上層メッセージによる設定時間は長く、且つシグナリング柔軟性が低くなる。これは、複数セットのａｐ−ＳＲＳパラメータが各キャリアでサポートされるマルチキャリアシステムで特に生じる。効果的なＳＲＳ設定を促進するために、各ＤＣＩフォーマットは、１つ以上の所定のセットのＵＥ特定ＳＲＳパラメータと対応する。図５の表５８を再度参照すると、例えば、ＤＣＩフォーマット０／３／３Ａの各々は、１セットのＵＥ特定ＳＲＳパラメータと対応し、ＤＣＩフォーマット４は、３セットのＵＥ特定ＳＲＳパラメータと対応する。ＤＣＩフォーマット４は、アップリンクＭＩＭＯをサポートし、より柔軟性のあるａｐ−ＳＲＳ設定を必要とする。
【００３２】
本実施態様では、複数セットのＲＲＣシグナリングは、ａｐ−ＳＲＳ用にＵＥ特定ＳＲＳパラメータを設定するのに用いられる。複数セットのＲＲＣパラメータは、ＵＥ特定ＳＲＳパラメータを発信するために、各ＵＥ用に予め定義され、各パラメータのセットは、ＵＥ特定パラメータのサブセットを含み：ＳＲＳ帯域幅割り当て、ＳＲＳホッピング帯域幅、周波数ドメイン位置、ＳＲＳ持続時間、アンテナポート数、送信コーム、および循環シフト（ＣＳ）を含む。２つのシグナリング方法は、共同（ｊｏｉｎｔ）シグナリング方法および個別（ｓｅｐａｒａｔｅ）シグナリング方法を用いることができる。共同シグナリング方法では、複数セットのＵＥ特定ＳＲＳパラメータは、単一のＲＲＣメッセージ伝送で共同して発信される。ＲＲＣシグナリングオーバーヘッドのコストにおいて共同シグナリングは、ａｐ−ＳＲＳ用に簡易化および柔軟性を提供する。個別シグナリング方法では、各セットのＵＥ特定ＳＲＳパラメータは、単独に発信される。１セットのパラメータが再設定される必要がある時、そのセットのパラメータは、他のセットのパラメータを発信する必要なく、ＲＲＣによって発信される。これにより、特にセット数が大きい時、シグナリングオーバーヘッドを低減し、向上されたシグナリング柔軟性を提供することができる。しかしながら、再設定が頻繁に生じない時は、共同シグナリングが好ましい。また、個別シグナリング方法では、どのセットが再設定されたかを示すために、新しい情報要素（ＩＥ）（例えばｓｅｔＮｕｍｂｅｒ）が必要とされる。
【００３３】
図８は、マルチキャリアＬＴＥ−Ａシステム８０のＲＲＣを介した複数セットのＵＥ特定ＳＲＳパラメータの共同シグナリング方法を表している。マルチキャリアＬＴＥ−Ａシステムは、プライマリＲＦキャリアＰＣＥＬＬおよびセカンダリＲＦキャリアＳＣＥＬＬ＃０によって互いに接続されたｅＮＢ８１およびＵＥ８２を含む。ＵＥ特定ＳＲＳパラメータを設定するために、ｅＮＢ８１は、単一のＲＲＣメッセージ８３によって共同して全てのセットのａｐ−ＳＲＳパラメータを伝送する。図８に表されるように、ＳＲＳパラメータは、ＲＲＣメッセージＲＲＣＣｏｎｎｅｃｔｉｏｎＲｅｃｏｎｆｉｇｕｒａｔｉｏｎの物理パラメータ（即ち、AperiodicSoundingRS-UL-ConfigDedicated）の一部として設定される（例えば、ａｐ−ＳＲＳ設定モジュール８７によって）。セカンダリセル（Ｓｃｅｌｌ）インデックスは、sCellToAddModList-r10で与えられる。単一のＲＲＣメッセージは、同時に複数のＳｃｅｌｌ用にａｐ−ＳＲＳパラメータを設定または変更することができる。２つのＲＲＣフォーマットは、共同シグナリングに用いられることができる。ＲＲＣメッセージの内容は、ダイレクト（ｄｉｒｅｃｔ）シグナリングまたはデルタ（ｄｅｌｔａ）シグナリング方法によって符号化されることができる。ダイレクトシグナリング方法では、各パラメータの各セットは、他の更なる処理なしに直接発信される。デルタシグナリング方法では、いくつかのパラメータは、“差動（ｄｉｆｆｅｒｅｎｔｉａｌ）”方式で発信される。例えば、基準点が選ばれ、基準点と各パラメータとの間の差動値が発信され、シグナリングオーバーヘッドを保存する。１つの新しい態様では、Ｐｃｅｌｌは、基準ポイントである。
【００３４】
図８の例では、ダイレクトシグナリング方法が用いられ、各パラメータの各セットのＵＥ特定パラメータは、他の更なる処理なしに直接発信される。例えば、AperiodicSoundingRS-UL-ConfigDedicatedの物理パラメータは、aperiodicConfigSetのシーケンスを含む。ＲＲＣパラメータセットの最大数は、maxAperiodicConfigNumであり、各aperiodicConfigSetは、ＳＲＳ帯域幅、周波数ドメイン位置、送信コーム、循環シフト、およびアンテナポート数を含むＵＥ特定パラメータのサブセットの値を含む。各セットの各パラメータの厳密値は、ＲＲＣメッセージ８３によって直接発信される。
【００３５】
ａｐ−ＳＲＳ伝送をトリガーするために、ｅＮＢ８１は、ＰＤＣＣＨ８４によってアップリンクグラントを伝送する。例えば、ＰＤＣＣＨ８４は、ＤＣＩフォーマット４をサポートし、セカンダリキャリアＳＣＥＬＬ＃０を示す“キャリア指示”フィールド（ＣＩＦ）“＃０”を含む。アップリンクグラントを受けると、ＵＥ８２は、それに応じてＳＣＥＬＬ＃０でＰＵＳＣＨ伝送８５を行う。また、ＵＥ８２は、アップリンクグラントにおける、あらゆるトリガー条件を検出するため、ＳＣＥＬＬ＃０上でａｐ−ＳＲＳ伝送をトリガーするかどうかを決める。トリガー条件を満たす場合、ＵＥ８２は、ＣＩＦの値に基づいてＲＲＣメッセージ８３によって設定された最新のＵＥ特定ＳＲＳパラメータを選択し、選択されたＵＥ特定パラメータでＳＣＥＬＬ＃０上でａｐ−ＳＲＳ８６を伝送する。
【００３６】
図９は、ｅＮＢの視点からのａｐ−ＳＲＳ設定の複数セットのＲＲＣシグナリングの方法のフローチャートである。ステップＳ９０１では、マルチキャリア無線通信システムの上層メッセージによって複数のセットのＵＥ特定ＳＲＳパラメータをＵＥに伝送する。ステップＳ９０２では、ｅＮＢは、ＵＥ用に、選択されたセットのＵＥ特定ＳＲＳパラメータおよび指示されたキャリアのトリガー情報を確定する。ステップＳ９０３では、ｅＮＢは、プライマリキャリア上でアップリンクまたはダウンリンクグラントを伝送する。ＵＥが、選択されたセットのＵＥ特定ＳＲＳパラメータを用いて、ＵＥに指示されたキャリア上でａｐ−ＳＲＳを送信するために、当該グラントはトリガー情報を含んでいる。共同シグナリングの実施形態では、複数のセットのＵＥ特定ＳＲＳパラメータは、単一のＲＲＣ伝送で共同して発信される。他のの実施形態の個別シグナリングでは、各セットのＵＥ特定ＳＲＳパラメータは、単独に発信される。
【００３７】
図１０は、ＵＥの視点からのａｐ−ＳＲＳ設定の複数セットのＲＲＣシグナリングの方法のフローチャートである。ステップＳ１００１では、マルチキャリア無線通信システムの上層メッセージによってｅＵＥが複数のセットのＵＥ特定ＳＲＳパラメータを基地局から受信する。ステップＳ１００２では、ＵＥは、プライマリキャリア上で基地局からアップリンクまたはダウンリンクグラントを受信する。前記グラントは、ＵＥが選択されたセットのＵＥ特定ＳＲＳパラメータを用いて、指示されたキャリア上でａｐ−ＳＲＳを送信するために、当該グラントはトリガー情報を含んでいる。ステップＳ１００３では、ＵＥは、選択されたセットのＵＥ特定ＳＲＳパラメータを用いて指示されたキャリア上にａｐ−ＳＲＳを伝送する。共同シグナリングの実施形態では、複数のセットのＵＥ特定ＳＲＳパラメータは、単一のＲＲＣ伝送で共同して発信される。他のの実施形態の個別シグナリングでは、各セットのＵＥ特定ＳＲＳパラメータは、単独に発信される。
【００３８】
本実施態様では、マルチキャリアシステムは、例えば、ＷｉＦｉまたはコグニティブ無線（ＣＲ）などの他の無線通信システムと連動したＬＴＥ−Ａシステムとして用いられることができる。このような設定では、Ｐｃｅｌｌは、ＬＴＥ−Ａシステムのキャリアと呼ばれ、Ｓｃｅｌｌは、他の通信システムのキャリアと呼ばれる。
【００３９】
本発明は、説明のためにある特定の実施の形態に関連して述べられているが本発明はこれを制限するものではない。よって、種々の変更、改造、及び上述の実施の形態の種々の特徴の組み合わせがこの請求項に記載したような本発明に含まれる。
【符号の説明】
【００４０】
１０、２０…マルチキャリア３ＧＰＰ ＬＴＥ−Ａ無線通信システム
１１、２２、５１、７１、８１…ｅＮＢ
１２、２１、５２、７２、７３、８２…ＵＥ
１３…ＤＬ
１４…ＵＬ
３１、４１…メモリ
３２、４２…プロセッサ
３３…情報復号化（ｉｎｆｏｒｍａｔｉｏｎ−ｄｅｃｏｄｉｎｇ）モジュール
３４…ＳＲＳおよびサウンディングチャネル割り当てモジュール
３５、４５…トランシーバ
３６、４６…アンテナ
４３…情報符号化（ｉｎｆｏｒｍａｔｉｏｎ−ｅｎｃｏｄｉｎｇ）モジュール
４４…チャネル推定モジュール
４０、５０…マルチキャリアＬＴＥ−Ａシステム
５３、７４、８４…ＰＤＣＣＨ
５４、７５…ブロック
５６…サウンディングチャネル
５７…ＳＲＳ
８３…ＲＲＣメッセージ
８５…ＰＵＳＣＨ伝送
８６…ａｐ−ＳＲＳ伝送
【図１】
2013541922.tif 000003
【図２】
2013541922.tif 000004
【図３】
2013541922.tif 000005
【図４】
2013541922.tif 000006
【図５】
2013541922.tif 000007
【図６】
2013541922.tif 000008
【図７】
2013541922.tif 000009
【図８】
2013541922.tif 000010
【図９】
2013541922.tif 000011
【図１０】
2013541922.tif 000012
【国際調査報告】
2013541922.tif 000013
2013541922.tif 000014